(57)【要約】  超音波イメージングシステムは、被検体からエコー信号を受信する超音波プローブと、プローブから受信されるエコー信号を超音波画像に対応するエコーデータに変換するプロセッサとを含む。システムは、プロセッサから受信されるエコーデータを感知データの対応する値に変換するグレイスケールマッパも含む。グレイスケールマッパは、ＤＩＣＯＭ準拠ＧＳＤＦ較正曲線を使用してこの変換を行う。感知データは、変換プロセッサを通され、該プロセッサは、周辺光センサから周辺光信号も受信する。変換プロセッサは、周辺光信号及びディスプレイ装置のディスプレイ特性に基づいて、感知値をそれぞれのデジタル駆動レベルに変換し、デジタル駆動レベルは、変動する周辺光条件の下で、最適画像表示を維持するために適用される。
2009542398.tif 000002
【特許請求の範囲】
【請求項１】
ディスプレイ装置に超音波画像を表示する方法であって、
前記超音波画像に対応するエコーデータを供給するステップと、
前記ディスプレイ装置の近辺における周辺光のレベルを感知するステップと、
前記エコーデータの各値を対応する感知値に変換するため、ＤＩＣＯＭ準拠ＧＳＤＦ較正曲線を使用することにより、前記超音波画像に対応するＤＩＣＯＭ準拠感知値を生成するステップと、
前記ディスプレイ装置のディスプレイ特性及び周辺光の感知されたレベルに基づいて、前記感知値をそれぞれのデジタル駆動レベルに変換するステップであって、該周辺光の感知されたレベルが、前記感知値の前記それぞれのデジタル駆動レベルへの変換に自動的に使用されるステップと、
前記ディスプレイ装置が前記超音波画像を表示することができるように、前記デジタル駆動レベルを前記ディスプレイ装置に供給するステップと
を有する方法。
【請求項２】
前記エコーデータの各値を対応する感知値に変換するため、ＤＩＣＯＭ準拠ＧＳＤＦ較正曲線を使用するステップが、
前記ＤＩＣＯＭ準拠ＧＳＤＦ較正曲線に対応するルックアップテーブルを生成するステップであって、該ルックアップテーブルが複数のエコーデータ値及び複数の感知値を含み、該感知値の各々が、前記エコーデータ値のそれぞれ一つと関連付けられるステップと、
前記ルックアップテーブルにおいて、前記関連付けられる感知値を参照するため、前記エコーデータ値を使用するステップと
を含む、請求項１に記載の方法。
【請求項３】
前記感知値をそれぞれのデジタル駆動レベルに変換するステップが、
ディスプレイ装置のディスプレイ特性及び周辺光の感知されたレベルに対応するルックアップテーブルを生成するステップであって、該ルックアップテーブルは複数の感知値及び複数のデジタル駆動レベルを含み、該複数のデジタル駆動レベルの各々は、前記感知値のそれぞれと関連付けられるステップと、
前記ルックアップテーブルの前記関連付けられるデジタル駆動レベルを参照するために、前記感知値を使用するステップと、
を含む、請求項１に記載の方法。
【請求項４】
前記ディスプレイ装置のディスプレイ特性及び前記周辺光のセンシングされたレベルに対応するルックアップテーブルを生成するステップが、前記ディスプレイ装置のディスプレイ特性に対応するルックアップテーブルを生成するステップを有し、該ディスプレイ装置のディスプレイ特性に対応するそれぞれのルックアップテーブルが、周辺光の各感知レベルに対して生成される、請求項１に記載の方法。
【請求項５】
前記ディスプレイ装置の近辺における周辺光のレベルを感知するステップが、前記ディスプレイ装置の近辺の２つの別個の位置における周辺光のレベルを感知するステップを含む、請求項１に記載の方法。
【請求項６】
前記ディスプレイ装置の近辺の２つの別個の位置における周辺光のレベルを感知するステップが、
前記ディスプレイ装置のディスプレイスクリーン上の周辺光のレベルを感知するステップと、
前記ディスプレイ装置の前記ディスプレイスクリーンの背後の周辺光のレベルを感知するステップと
を含む、請求項５に記載の方法。
【請求項７】
前記ディスプレイ装置に表示される前記超音波画像の輝度を手動で調整するステップを更に含み、
前記輝度を調整するステップが、ローカルのディスプレイ装置、及び遠隔で見るために使用される画像信号において現れる画像を変更させる音響イメージングパラメータの変化とみなされる、請求項１に記載の方法。
【請求項８】
前記ディスプレイ装置が、フラットパネルディスプレイ装置を含む、請求項１に記載の方法。
【請求項９】
前記ディスプレイ装置が、陰極線管ディスプレイ装置を含む、請求項１に記載の方法。
【請求項１０】
エコーデータの各値を対応する感知値に変換するため、ＤＩＣＯＭ準拠のＧＳＤＦ較正曲線を使用するステップが、エコーデータの各値を対応するグレイスケール感知値にマッピングするステップを含む、請求項１に記載の方法。
【請求項１１】
被検体からエコー信号を受け取る超音波プローブと、
前記プローブから前記エコー信号を受信するために結合されるプロセッサであって、前記受信されたエコー信号を超音波信号に対応するエコーデータに変換するように動作可能なプロセッサと
ディスプレイ装置と、
前記プロセッサから前記エコーデータを受信するために結合されるグレイスケールマッパであって、前記グレイスケールマッパが、ＤＩＣＯＭ準拠ＧＳＤＦ較正曲線を使用して、エコーデータの各値を感知データの対応する値に変換するように動作可能であり、その結果、前記超音波画像に対応する値を有するＤＩＣＯＭ準拠感知データを生成するグレイスケールマッパと、
前記ディスプレイ装置の近辺における周辺光のレベルを感知するとともに、該レベルに対応する周辺光信号を生成するように動作可能である周辺光センサと、
前記グレイスケールマッパから前記感知データを受信するとともに、前記周辺光センサから前記周辺光信号を受信するために結合される変換プロセッサであって、前記ディスプレイ装置の少なくとも１つのディスプレイ特性及び前記周辺光信号に基づいて、前記感知値をそれぞれのデジタル駆動レベルに変換するように動作可能であり、前記ディスプレイ装置が前記超音波画像を表示できるように、前記デジタル駆動レベルを前記ディスプレイ装置に供給するため、前記ディスプレイ装置に結合される変換プロセッサと、
を含む、超音波イメージングシステム。
【請求項１２】
前記グレイスケールマッパが、ＤＩＣＯＭ準拠ＧＳＤＦ較正曲線に対応するルックアップテーブルを有し、前記ルックアップテーブルが、エコーデータの複数の値及び感知データの複数の値を含み、該感知データの各々がエコーデータの値のそれぞれと関連付けられる、請求項１１に記載の超音波イメージングシステム。
【請求項１３】
前記変換プロセッサが、前記ディスプレイ装置の前記ディスプレイ特性及び前記周辺光センサからの前記周辺光信号に対応するルックアップテーブルを有し、該ルックアップテーブルが、前記感知データの複数の値及び複数のデジタル駆動レベルを含み、該レベルの各々が、前記感知データの前記値のそれぞれ１つと関連付けられる、請求項１１に記載の超音波イメージングシステム。
【請求項１４】
前記周辺光センサが、
前記ディスプレイ装置の近辺の第１位置における周辺光のレベルを感知する第１周辺光センサと、
前記第１位置とは異なる、前記ディスプレイ装置の近辺の第２位置における周辺光のレベルを感知する第２周辺光センサと
を有する、請求項１１に記載の超音波イメージングシステム。
【請求項１５】
前記第１位置が、前記ディスプレイ装置のディスプレイスクリーンを含み、前記第２位置が、前記ディスプレイ装置の前記ディスプレイスクリーンの背後の位置を含む、請求項１４に記載の超音波イメージングシステム。
【請求項１６】
前記ディスプレイ装置上に示される画像の輝度が手動で調整されることを可能にする、手動調整可能輝度制御部を更に含む、請求項１１に記載の超音波イメージングシステム。
【請求項１７】
前記ディスプレイ装置が、フラットパネルディスプレイ装置を含む、請求項１１に記載の超音波イメージングシステム。
【請求項１８】
前記ディスプレイ装置が、陰極線管ディスプレイ装置を含む、請求項１１に記載の超音波イメージングシステム。
【請求項１９】
前記ディスプレイ装置が、前記感知データが外部ネットワークに結合され得るように、前記グレイスケールマッパからＤＩＣＯＭ準拠感知データを受信するように結合される通信ポートを有する、請求項１１に記載の超音波イメージングシステム。
【請求項２０】
前記グレイスケールマッパから前記感知データを受信するように結合される変換プロセッサを更に含み、前記変換プロセッサが、少なくとも１つの音響イメージングパラメータに基づいて前記感知値をそれぞれのデジタル駆動レベルに変換するように動作可能であり、前記変換プロセッサが、局部周辺光条件に対して補償されないビデオ信号が供給されるビデオ出力に結合される、請求項１１に記載の超音波イメージングシステム。
【発明の詳細な説明】
【技術分野】
【０００１】
本発明は、医療診断イメージングシステムに関し、より詳細には、周辺光の状態の変化にもかかわらず、表示される画像が、医療画像を表示するための一般に受け入れられた性能の基準に適合することを保証する超音波診断イメージングシステムに関する。
【背景技術】
【０００２】
人体の解剖構造の画像は、一般に様々な技術を使用して得られる。例えば画像は、Ｘ線、磁気共鳴イメージング（ＭＲＩ）及び超音波技術により得られる。現代の医療イメージングシステムにおいて、画像はデジタル記録として取り込まれ、メディア又はネットワークストレージサーバに記憶される。画像は、生成されたときにリアルタイムで見られ得るか、又は保存されたデジタル記録を使用して見られ得る。どちらの場合も、画像は、陰極線管（ＣＲＴ）ディスプレイ、プラズマディスプレイ、発光ダイオード（ＬＥＤ）ディスプレイ、電界放出ディスプレイ、及び有機ＥＬディスプレイを含む様々なディスプレイを通じて見られ得る。画像がこれらのディスプレイの各々で見られるとき、同じ画像の見かけは異なり得る。更に、これらのディスプレイの何れかにおいて見られる画像は、オペレータの調整の結果として変化し得る。例えば、ユーザは、画像の明るさ、コントラスト、又は色の彩度を変化させ得る。画像は、様々な光の状態において、これらのディスプレイ装置の何れかを使用しても見られ得るが、これは、ディスプレイの位置、又は他の理由、例えば周辺光の状態の変化とともに変化し得る。これらの変化の結果として、その後、画像が得られる際にイメージングシステム上で見られる画像が知覚される態様と、診断レビュー局のディスプレイに表示されるときに画像が知覚される態様とを比較して、違いが存在し得る。
【０００３】
医療画像が表示される態様のこれら及び他の態様にもかかわらず、医療画像が、医療画像を表示する一般に受け入れられた性能基準に適合する一貫した態様で表示されることが、正確な診断のために重要になり得る。画像取得とその後のレビューとの間の医療画像の一様な知覚を達成するために、努力がなされている。例えば医用画像と通信（ＤＩＣＯＭ）標準規格は、医用画像が、一貫した態様で知覚されることを保証するように試みる。画像の視覚的表示を扱うＤＩＣＯＭ標準規格の部分は、ＰＳ３．１４である。標準規格のこの部分は、グレイスケール標準関数（ＧＳＤＦ）規格として知られる、医用画像モニタの較正プロファイルを規定する。ＧＳＤＦ規格により提供される較正プロファイルは、等差のディスプレイ入力に対する知覚された明るさにおいて「知覚的線形化」を達成する。ＧＳＤＦ規格は、光のレベルの増分変化に対して、人間の目の感度が、光の絶対強度とともに変化するという認識に基づく。それゆえＧＳＤＦ較正プロファイルは、デジタル画像値をそれぞれの発光レベルにマッピングする客観的、定量的機構を提供する。デジタル画像値と発光レベルとの間の既知の機能的関係を使用することにより、画像は、元の取得装置において持つのと同じ診断値を備える異なる装置又は媒体上に表示され、見られ得る。ＧＳＤＦ規格は、ディスプレイ装置をＧＳＤＦ較正曲線に構成するとき、見る環境の周囲の光のレベルも考慮する。周囲の光の量がＧＳＤＦ較正の実行において無視される場合、グレイを表示するために使用される低い光レベルは、環境において上昇する周囲の光レベルに圧倒されるであろう。
【０００４】
ＰＳ３．１４が除去しようとする１つの変数は、ユーザが個人的に感じる、より多くの診断表示であるものに画像を調整するために、ユーザが採用し得るユーザの好みの変動性である。ユーザにこのような調整をさせ得る１つの環境変数は、画像が見られる部屋又は研究室の周辺光である。いくつかの例において、部屋は、例えば患者がより快適にくつろげるように、明るく照明され得る。他の例において、部屋は、表示される画像における微妙な細部が診断医により容易に識別され得るように、薄暗く照明され得る。他の例において、画像が明るく照明されて部屋で得られ、それから診断医により読むために、薄暗く照明された診断研究室のワークステーションに電子的に転送され得る。これらの変わりやすい条件において、超音波検査士（sonographer）は、最も診断に用いると感じる画像を表示するため、明るさ及びコントラストのような画像表示制御を調整したいであろう。しかしながら、手動の画像調整は、ゲイン又はＴＧＣを音響制御が遠隔で見る質の悪いデジタル画像を生成し得るので、遠隔で見られるときに画像に悪影響を与え得る。他の補償は、超音波検査士にディスプレイの明るさ／コントラストを変化させないままにするが、ゲイン又はＴＧＣのような音響画像制御を異常に調整することにより、周囲の光に対して補償する。これらの調整は、デジタル画像をその場で見ること及び遠隔で見ることの両方に対して、悪影響を与える傾向にあり得る。両方のタイプの調整は、質の悪い画像知覚、又は悪い音響制御設定となり得る。
【０００５】
医療画像を表示する従来のモニタは、表示される画像の主導調整を可能にすることにより、周囲光のレベルに基づいてＧＳＤＦ較正を提供しようとする。調整は、通常固定された見積もりか、又は周囲光の強度の測定を使用してなされる。これらの見積もりは、調整をする人の主観的な判定に基づき、それゆえ一貫しておらず、誤りをともなう。更に、これらの見積もりは、周囲光の条件が、ＧＳＤＦ較正を試みられたときに存在するものとは異なる場合に不正確になり、このようなことは、超音波イメージングシステムが異なる部屋に移動されるとき、容易に生じ得る。
ポータブルディスプレイを使用して、過度に明るい超音波画像を表示することになるという他の問題は、過度に電力を消費し、バッテリ再充電の間の時間の低下を明白にする。それゆえ、ＤＩＣＯＭ規格に適合する態様で、超音波画像を表示したいことは別として、バッテリ再充電の間の時間を最大化するために、過度に明るい超音波画像を表示することを回避することも望ましい。
【発明の開示】
【発明が解決しようとする課題】
【０００６】
それゆえ、画像が取得される、超音波イメージングシステムの位置における周辺光のレベルの変動にも関わらず、一貫してＤＩＣＯＭ規格に適合する遠隔システムディスプレイ用の画像を生成する超音波イメージングシステムに対するニーズがある。
【課題を解決するための手段】
【０００７】
超音波イメージングシステム及び方法は、ＤＩＣＯＭ準拠の態様で、レビュー局及び遠隔ディスプレイ装置において表示する超音波画像を生成する。超音波画像に対応するエコーデータは、まず適切な手段により設けられる。エコーデータの値は、ＤＩＣＯＭ準拠ＧＳＤＦ較正曲線を使用して、対応するｐ値に変換される。結果として、超音波画像に対応するＤＩＣＯＭ準拠ｐ値が生成される。ディスプレイ装置の近辺における周辺光のレベルも感知される。ｐ値は、ディスプレイ装置の表示特性及び周辺光の感知されたレベルに基づいて、それぞれのデジタル駆動レベルに変換される。したがって、周辺光のセンシングされたレベルは、超音波システムディスプレイのそれぞれのデジタル駆動レベルにｐ値を変換する際に自動的に使用される。デジタル画像は、ＤＩＣＯＭ規格に準拠した知覚的に線形の態様で表示され得る、遠隔位置における他のディスプレイに伝送され得る。
【発明を実施するための最良の形態】
【０００８】
本発明の一例による超音波診断イメージングシステム１００は、図１に示される。イメージング装置１００は、トランスデューサ素子のアレイ１１２を含むプローブ又はスキャンヘッド１１０を有する。アレイ１１２は、画像フィールドに渡って、異なる角度でビームを伝送する。ビームの伝送は、送信機１１４により制御され、該送信機は、アレイ１１２のトランスデューサ素子の各々の動作の頻度、フェージング、及び時間を制御し、各ビームは、所定の基点からアレイに沿って所定の角度で送信される。各ビームの方向に沿って戻るエコーは、アレイ１１２の素子により受信され、アナログデジタル（Ａ／Ｄ）コンバータ１１５によりデジタル化され、デジタルビーム形成器１１６に結合される。デジタルビーム形成器１１６は、各スキャンライン又はビーム方向に沿って、フォーカスされたシーケンスの一様なデジタルエコーサンプルを形成するため、トランスデューサ素子のアレイ１１２からのエコーを遅延させるとともに、足し合わせる。サンプルのシーケンスは、ビーム形成器１１６により形成されるビームに対応するそれぞれの画像フレームを形成するために使用される。
【０００９】
送信機１１４及びビーム形成器は、システム制御器１１８の制御の下で操作され、これは、今度はイメージングシステム１００のユーザにより操作されるユーザインタフェース１２０上の制御の設定に応答する。システム制御器１１８は、使用される画像深度及び開口に対して、受信されたエコー信号を適切に遅延及び組み合わせるように、デジタルビーム形成器１１６も制御する。
【００１０】
デジタルビーム形成器１１６により生成されるスキャンラインエコー信号は、プログラム可能デジタルフィルタ１２２によりフィルタリングされ、これは、関心ある周波数帯を規定する。高調波造影剤をイメージングするか、又は組織高調波イメージングを実行する場合、フィルタ１２２の通過帯域は、通過帯域の高調波を通過させるように設定される。フィルタリングされた信号は、検出器１２４により検出される。Ｂモードイメージングでは、検出器１２４は、エコー信号包絡線の振幅検出を実行する。ドップライメージングでは、エコーの集合が、画像の各点に対してアセンブルされ、ドップラシフト又はドップラ電力強度を見積もるためにドップラ処理される。画像のスキャンラインからのエコーデータは、画像メモリ１２６において収集される。このエコーデータは、スキャンコンバータ１２８に結合され、ここでエコーデータは、矩形の線形スキャン画像、又は扇型画像、又は３Ｄボリュームレンダリングのような所望の画像フォーマットで構成される。
【００１１】
スキャンコンバータ１２８からのエコーデータは、グレイスケールマッパ（mapper）１３０を使用するマッピングとして知られるプロセスにおいて、グレイスケール表示値の範囲に変換される。グレイスケールマッパ１３０は、スキャンコンバータ１２８からのエコーデータに対応する値を、「ｐ値」として知られるそれぞれの知覚値に対応するデータに変換する。ｐ値は、エコーデータを一般にＤＩＣＯＭ規格、特にＧＳＤＦ較正曲線に従う人間の知覚における「丁度可知差異」に線形に関連付ける輝度値である。グレイスケールマッパ１３０は、ルックアップテーブルを使用してこの関数を実行し得るか、又は公式に従った計算のような他の手段によりなされ得る。これらのｐ値は、画像が表示される特定の装置に対して独立である。図２は、エコーデータ値に対応するｐ値を示すＧＳＤＦ較正曲線の一例を図示する。
【００１２】
グレイスケールマッパ１３０が画像をＧＳＤＦ較正曲線にマッピングした後、画像に対応するデータは、外部ネットワーク、ストレージ装置、及びディスプレイ装置（図示略）、例えばワークステーション、ペーパープリンタ、及びフィルムプリンタに転送され得る。これらの装置がＤＩＣＯＭ標準規格画像に対応するように構成される場合、画像は、これらの元々の形態で、これらの有する同じ診断値に対して再生され得る。画像は、暗室でワークステーションモニタ、又はＬＣＤディスプレイのような放射性ディスプレイ上に示され得るか、透過性フィルムに印刷され、放射線ライトボックス上で見られるか、又は各場合における同じ診断表示を持つ光沢あり若しくは光沢なしの印画紙に印刷される。外部ネットワーク、ストレージ装置、及びディスプレイ装置は、標準のＤＩＣＯＭ画像をそれぞれのディスプレイ装置の特性ディスプレイ曲線に適用することにより、この関数を実行し、これは、標準の画像をディスプレイ装置の既知のディスプレイ特性に変換する。画像は、ディスプレイ装置の制限内で、該画像が表示される様々なディスプレイ装置に対して同じ診断値を提示するであろう。これらのソフトコピーレビューの構成は、見る位置における周辺光を考慮して実行され、これは画像取得位置の周辺光に対して独立である。
【００１３】
図１を更に参照すると、エコーデータ値がマッパ１３０によりＧＳＤＦ較正曲線を使用してそれぞれのｐ値にマッピングされた後、ｐ値に対応するデータは、ｐ値／ＤＤＬ変換プロセッサ１３４に適用される。ｐ値／ＤＤＬ変換プロセッサ１３４は、ＤＩＣＯＭ較正されたｐ値にマッピングされた画像を、イメージングシステム１００に使用される特定のディスプレイ装置１５０に適したデジタル駆動レベル（ＤＤＬ）の範囲に変換する。例えば変換プロセッサ１３４の入力部において適用されるｐ値は、図３に示されるように、通常のＣＲＴディスプレイ装置の標準曲線３０に図でプロットされる一連のデジタル駆動レベルにマッピングされ得る。しかしながら、異なるディスプレイ装置１５０は、異なる一連のＤＤＬを必要とし得る。例えば変換プロセッサ１３４は、受信されたｐ値を、フラットパネルディスプレイ装置応答曲線３２に図でプロットされる一連のデジタル駆動レベルにマッピングし得る。ユニークなディスプレイ装置上で、発光レベルの標準化された画像を忠実に再生するため、ＧＳＤＦ曲線に準拠したｐ値は、装置特有の応答曲線３２に従って変換されなければならない。これは、好ましくは出力ＤＤＬ値のルックアップテーブルによりなされ、受信されたＤＩＣＯＭ準拠ｐ値を使用して、変換プロセッサ１３４がこれに取り組む。他のディスプレイ装置（図示略）は、異なるディスプレイ応答を有し得、変換は、異なるディスプレイ装置を正確に駆動するために実行されるであろう。変換プロセッサ１３４により生成されるＤＤＬ値がディスプレイ装置１５０に適用される場合、ディスプレイ装置１５０は、装置１５０に特有の駆動レベルにより駆動され、これは、装置１５０に対して、ＤＩＣＯＭディスプレイ標準規格の人間の知覚レベルに準拠する発光レベルの画像を生成させる。
【００１４】
イメージングシステム１００も、少なくとも１つの周辺光センサ１４０を含み、これは、ｐ値／ＤＤＬ変換プロセッサ１３４に接続される。周辺光センサ１４０は、ディスプレイ装置1５０の周囲の周辺光のレベルを示す信号を生成する。ｐ値／ＤＤＬ変換プロセッサ１３４は、周辺光センサ１４０からの信号に対応する周辺光のレベルに対する特定のデジタル駆動レベルＤＤＬに対して、グレイスケールマッパ１３０からのＤＩＣＯＭ準拠ｐ値を関連付ける較正曲線を生成するために、周辺光のレベルを示す信号を使用する。上で説明されるように、この較正曲線は、ルックアップテーブルの形態であり得るか、又はいくつかの他の手段により実現され得る。ルックアップテーブルが使用される場合、ディスプレイ装置１５０の特性及び周辺光のレベルに特有のルックアップテーブルが生成される。それからｐ値／ＤＤＬ変換プロセッサ１３４は、各受信されたｐ値を対応するＤＤＬ値に変換するために、このルックアップテーブルを使用する。結果として、ディスプレイ装置１５０は、周辺光のレベルの変動にも関わらず、一貫した画像を提示する。部屋における周辺光が増加若しくは減少するか、画像システムが異なる部屋に移動されると、光センサ１４０は、対応する信号をｐ値／ＤＤＬ変換プロセッサ１３４に適用するであろう。それからｐ値／ＤＤＬ変換プロセッサ１３４は、例えば周辺光のレベルに対応する新たなルックアップテーブルを生成することにより、新たな較正曲線を生成するであろう。それから変換プロセッサは、ｐ値をそれぞれのＤＤＬ値に変換するために、この新たな較正曲線を使用するであろう。
【００１５】
異なるレベルの周辺光に対する較正曲線のセットは、例えば図４に示される。例えば曲線４１は、この範囲を通じて比較的線形である。この曲線は、ディスプレイのダイナミックレンジの低下が、低い発光レベルに対してより多くの補償を必要とする明るく照明された部屋において使用されるであろう。より高い数字の曲線は、徐々に暗くなる周囲の部屋の光レベルに対して使用される。例えば曲線４９は、グラフの基点付近の急峻なカーブの形状から明らかであるが、連続した低いグレイレベルの間に急峻な変化を適用する。このディスプレイ関数は、特に低い発光レベルで、薄暗く照明された部屋において、ディスプレイされた画像の診断値を維持するのに必要とされる低いレベルの駆動値において、より大きな微分を与えるであろう。
【００１６】
１つの周辺光センサ１４０のみが図１において示されるが、第２周辺光センサ１６０からの信号は、周辺光の対応するレベル及び性質に対して、ディスプレイＤＤＬ値にｐ値を関連付ける較正曲線の生成を支援するため、オプションとしてｐ値／ＤＤＬ変換プロセッサ１３４により使用され得る。例えば周辺光センサ１４０は、ディスプレイ装置１５０のスクリーンにある周辺光のレベルを感知し得、一方周辺光センサ１６０が、スクリーンの背後の周辺光のレベルを感知し得る。これらの周辺光センサ１４０、１６０の両方により感知される光のレベルの平均は、受信されたｐ値を出力ＤＬＬ値に関連付ける新たな較正曲線を生成するために使用され得る。代替として、反射光及びバックライトのレベルは、較正曲線の構成において異なって説明され得る。
【００１７】
イメージングシステム１００は、手動調整可能輝度制御器１５８も含み得、これは、ユーザがディスプレイ装置１５０に示される画像の輝度を変更することを可能にする。これは、周辺光条件の個人的な判定に基づいて、ユーザが手動の調整をすることを可能にする。画像は、周辺光のユーザ判定が妥当である場合、依然としてＤＩＣＯＭ標準規格に準拠するであろう。輝度調整は、所望であれば、音響イメージングパラメータの変化とみなされ、ＧＳＤＦを無効にせず、ローカルのモニタ上、及び遠隔レビューに使用されるエクスポートされたデジタル画像の両方に現れる画像に変更するために使用され得る。
【００１８】
本発明は、開示された実施例を参照して記載されているが、当業者は、本発明の趣旨及び範囲から逸脱することなく、形態及び詳細において変更がなされ得ることを認識するであろう。このような修正は、当業者の技能の範囲内にある。例えば超音波システムは、２つのビデオ出力を有し得、一方が周辺光に対して補償された信号を生成し、他方が補償されていないビデオ信号を生成する。ユーザは、イメージングシステムと同じ見る部屋におけるディスプレイに対する補償されたビデオ出力と、異なる周辺光条件を有し得る別個の見る部屋におけるディスプレイに出力される補償されていないビデオ出力とを使用するであろう。したがって、本発明は、請求項による以外では制限されない。
【図面の簡単な説明】
【００１９】
【図１】図１は、本発明の一例による超音波診断イメージングシステムを図示するブロック図である。
【図２】図２は、エコーデータ値対ｐ値の規格化されたグレイスケール表示関数を図示するグラフであり、これは人間の観測者により線形に知覚され得る発光の違いを規定する。
【図３】図３は、図１の超音波診断イメージングシステムに使用されるディスプレイ装置に特有のデジタル表示レベル（ＤＤＬ）値へのｐ値の変換を図示するグラフである。
【図４】図４は、ｐ値をＤＤＬ値に関連付ける較正曲線のいくつかの例を示すグラフであり、これらのうちの１つは、周辺光のそれぞれのレベルに対して、図１のシステムにおいて選択される。
【図１】
2009542398.tif 000003
【図２】
2009542398.tif 000004
【図３】
2009542398.tif 000005
【図４】
2009542398.tif 000006
【国際調査報告】
2009542398.tif 000007
2009542398.tif 000008
2009542398.tif 000009